(57)【特許請求の範囲】
【請求項１】
振動による患部の揉みほぐしと磁気による患部の血行の促進を行うようにした磁気振動マッサージ具において、
患部に粘着される粘着パッド（１０）と、
該粘着パッド（１０）の粘着面とは反対側に粘着され、患部に対する磁気の作用によって患部の血行を促進させる１又は複数の磁石片（１１）と、
偏平な円形ケース（２０Ａ）底面に永久磁石製のステータ（２０Ｂ）を固定しステータ（２０Ｂ）上方にロータ（２０Ｃ）を配置して回転軸（２０Ｅ）の回りに回転自在に支持しロータ（２０Ｃ）には励磁コイルと偏心ウェイト（２０Ｄ）を設けて構成され、円形ケース（２０Ａ）底面が１つの上記磁石片（１１）に磁着され、通電によって振動を発生して上記１つの磁石片（１１）を加振し該１つの磁石片（１１）の振動によって患部を揉みほぐさせるとともに、上記ケース（２０Ａ）底面のステータ（２０Ｂ）が上記１つの磁石片（１１）の患部に対する磁気の作用を強める振動モータ（２０）と、
該振動モータ（２０）と通電線（２２）によって接続され、上記振動モータ（２０）に通電する電源回路（３０）と、
を備えたことを特徴とする磁気振動マッサージ具。
【請求項２】
上記振動モータ（２０）が１００ｒｐｍ〜１５０００ｒｐｍの範囲内から選ばれる回転数で回転して振動を発生するようになした請求項１記載の磁気振動マッサージ具。
【請求項３】
上記磁石片（１１）は患部に接する部分の表面における磁束密度が３５ｍＴ〜２００ｍＴの範囲内から選ばれる値である請求項１記載の磁気振動マッサージ具。
【発明の詳細な説明】
【技術分野】
【０００１】
この発明は磁気振動マッサージ具に関し、特に身体のいずれの部位にも適用できるようにしたマッサージ具に関する。
【背景技術】
【０００２】
最近、パソコンの操作など、長時間にわたって同じ姿勢で作業を行うことが多くなったことから、首や肩が凝り固まり、疲労感を日常的に感じる人が増加する傾向にある。
【０００３】
従来、振動によって凝り固まった患部を揉みほぐし、磁気によって患部の血行を促進することにより、疲労感を解消するようにした磁気振動マッサージ具が提案されている。例えば、粘着シートの背面に磁石板を取付け、その背後に励磁コイルを設け、励磁コイルに所定周波数の交番電流を通電して交番磁界を発生させ、磁石板を振動させて振動と磁気を患部に与えるようにした方式（特許文献１）、パッド内に永久磁石片を埋設し、パッドの背後に交番磁界を発生する磁気治療器を設け、交番磁界によって永久磁石片を振動させて振動と磁気を患部に与えるようにした方式（特許文献２）、が知られている。
【０００４】
【特許文献１】実公平０３−１０９９０号公報
【特許文献２】実開平０３−２９１５０号公報
【発明の開示】
【発明が解決しようとする課題】
【０００５】
しかし、上記特許文献１記載の磁気振動マッサージ具は励磁コイルを内蔵したケースの前面に磁石板及び粘着シートを固定しているので、粘着シートの汗や垢などの汚れを水洗いしようとすると、ケース内に水が侵入して故障の原因になるおそれがある。
【０００６】
他方、特許文献２記載のマッサージ具ではパッドと磁気治療器とが別々であるので、パッドが汚れたときに水洗いすることができるが、磁気治療器内に励磁コイルへの通電制御回路などが内蔵されているので、磁気治療器が大きくて重く、パッドを患部に粘着させても磁気治療器の重さによってパッドが患部から外れ、あるいは磁気治療器がパッドから外れてしまうおそれがあり、適用できる身体の部位に制限がある。
【０００７】
本発明はかかる問題点に鑑み、身体のいずれの部位にも適用できるようにした磁気振動マッサージ具を提供することを課題とする。
【課題を解決するための手段】
【０００８】
そこで、本発明に係るマッサージ具は、振動による患部の揉みほぐしと磁気による患部の血行の促進を行うようにした磁気振動マッサージ具において、患部に対する磁気の作用によって患部の血行を促進させる１又は複数の磁石片と、該１又は複数の磁石片を患部に保持する保持手段と、１つの上記磁石片に磁着され、通電によって振動を発生して上記１つの磁石片を加振し該１つの磁石片の振動によって患部を揉みほぐさせる振動モータと、該振動モータと通電線によって接続され、上記振動モータに通電する電源回路と、を備えたことを特徴とする。
【０００９】
本発明の特徴の１つは保持手段によって１又は複数の磁石片を患部に保持し、１つの磁石片に振動モータを磁着させ、電源から通電線を介して振動モータに通電して振動モータを振動させるようにした点にある。
【００１０】
これにより、振動モータは１つの磁石片に対応する小形・軽量のものを使用できるので、振動モータの重さによって磁石片が患部から外れたり振動モータが磁石片から外れたりすることはなく、身体のあらゆる部位に適用できる。
【００１１】
保持手段には患部に粘着される粘着パッドを使用し、粘着パッドの粘着面と反対側に１又は複数の磁石片を粘着するようにすればよい。また、保持手段には１又は複数の磁石片を患部に貼着する貼着テープを採用することもできる。
【００１２】
粘着パッドを用いる場合、粘着パッドと振動モータを別体としているので、粘着パッドが汚れたときには粘着パッドのみを水洗いすることができ、粘着パッドを清潔に保って粘着パッドの粘着性を維持できる。粘着パッドは皮膚に粘着できるとともに磁石片を粘着できる材質であればよく、例えばウレタンゲルやシリコンゲルを用いることができる。
【００１３】
磁石片と患部との間に粘着パッド、例えばゲルパッドを介在させると、患部に対する磁力が弱められるおそれがある。これに対し、底面に磁石製のステータを固定した構造の振動モータを用い、磁石片に振動モータを磁着させると、振動モータ内蔵の磁石によって患部に対する磁石片の磁力が強められ、患部の血行を確実に促進することができる。
【００１４】
磁石片の材質は特に限定されず、フェライト磁石や希土類磁石その他の公知の磁石を採用することができる。また、磁束密度は患部の血行を促進するという効果に直接関係する。そこで、患部の肌表面における磁束密度が３５ｍＴ〜２００ｍＴの範囲内となるように磁石片を選択するのがよい。
【００１５】
振動モータの構造は特に限定されず、軽量小型化を図る上で、下記の実施形態に示されるように、偏心ウエイトや偏心ロータを有する方式が好ましい。また、振動モータはそのまま露出させてもよいが、見栄えの点で好ましくない。そこで、振動モータを偏平な円板状とし、１つの磁石片に磁着される面を残して軟質キャップに覆うのがよい。
【００１６】
振動モータの回転数は患部を揉みほぐす効果に直接関係する。そこで、振動モータの回転数は１００ｒｐｍ〜１５０００ｒｐｍの範囲内から選択される回転数とするのがよい。１００ｒｐｍ未満の回転数では揉みほぐし効果が十分でなく、１５０００ｒｐｍを超える回転数は小形振動モータとして一般的でないからである。
【発明を実施するための最良の形態】
【００１７】
以下、本発明を図面に示す具体例に基づいて詳細に説明する。図１ないし図５は本発明に係る磁気振動マッサージ具の好ましい実施形態を示す。本例の磁気振動マッサージ具は１つの磁石片１１、粘着パッド（保持手段）１０、２つの振動モータ２０及び電源装置３０から構成されている。
【００１８】
粘着パッド１０はウレタンゲルやシリコンゲルを用い、例えば縦４ｃｍ、横３ｃｍ、厚さ０．３〜２ｍｍ程度の四角形状に製造され、粘着パッド１０には円形リング状で板状の４極の永久磁石片１１が粘着面１０Ａとは反対側の面１０Ｂに粘着されている。
【００１９】
永久磁石片１１には例えば希土類磁石が用いられ、その磁束密度は粘着パッド１０の粘着面１０Ａにおいて３５ｍＴ〜２００ｍＴの範囲内から選ばれる値となる磁石片１１が選択されている。
【００２０】
振動モータ２０には種々の構造のものを用いることができ、例えば東京パーツ株式会社製の小形振動モータ（型式：ＦＭ３７Ｅ）を使用することができる。この振動モータ２０は一面（磁着面）を残してキャップ２１で覆われ、キャップ２１は軟質の合成樹脂材料を用いて製作されている。
【００２１】
小形振動モータ２０の構造の１例を図４に示すが、これ以外の構造の小形振動モータを用いることもできる。図４において、偏平な円形ケース２０Ａ底面に永久磁石製の４つのステータ２０Ｂが固定され、ステータ２０Ｂ上方にロータ２０Ｃが配置され、ロータ２０Ｃは回転軸２０Ｅの回りに回転自在に支持され、ロータ２０Ｃの励磁コイルには整流子２０Ｆによって通電されるようになっている。
【００２２】
また、ロータ２０Ｃには偏心ウエイト２０Ｄが取付けられ、ロータ２０Ｃの回転によって振動モータ２０に振動が発生するようになっている。
【００２３】
整流子２０Ｆには通電線２２が接続され、通電線２２の先端にはプラグ２３が設けられ、プラグ２３は電源装置３０のジャック３０Ｂに抜き差し可能に接続されるようになっている。この電源装置３０には通電回路及び電池が内蔵され、振動モータ２０の回転数をコントロールするための摘まみ３０Ａが設けられ、振動モータ２０は１００ｒｐｍ〜１５０００ｒｐｍの範囲内から選ばれる回転数で回転できるようになっている。
【００２４】
肩凝りをほぐす場合、図５に示されるように、粘着パッド１０を肩の凝っている箇所に粘着し、その上に振動モータ２０を重ねると、粘着パッド１０の磁石片１１の４極と振動モータ２０の４つのステータ２０Ｂとが相互に磁着する。
【００２５】
次に、振動モータ２０の通電線２２のプラグ２３を電源装置３０のジャック３０Ｂに差し込み、電源装置３０のスイッチ（図示せず）をＯＮにする。すると、振動モータ２０が振動し、その振動が粘着パッド１０の磁石片１１に伝わって磁石片１１も振動する。すると、図５の(b)に示されるように、肩の凝った部位には磁石片１１の振動Ｂが伝わって凝りが揉みほぐされる。
【００２６】
また、肩の凝った部位には磁石片１１から磁力Ｇが作用するが、磁石片１１と患部との間に粘着パッド１０が存在すると、磁石片１１の患部に対する磁力Ｇが弱められるおそれがある。これに対し、本例の磁気振動マッサージ具では磁石片１１に振動モータ２０を磁着させるようにしているので、振動モータ２０のステータ２０Ｂによって磁石片１１の患部に対する磁力Ｇを強めることができる。
【００２７】
その結果、振動によって揉みほぐしと磁気による血行の促進とが相まって肩の凝りを確実に解消できることとなる。本件発明者らの実験によれば、粘着パッド１０を粘着し、振動モータ２０を振動させると、使用開始から１０分程度で凝った部位が温かくなり、凝りが解消し、爽快さを感じることが確認された。
【００２８】
以上のように、振動モータ２０と電源装置３０とを電力線２２で接続し、振動モータ２０を粘着パッド１０の磁石片１１に磁着させるようにしたので、振動モータ２０の重さによって粘着パッド１０が患部から外れたり振動モータ２０が粘着パッド１０から外れたりすることはない。その結果、本例の磁気振動マッサージ具を身体のあらゆる部位に適用することができる。
【００２９】
また、粘着パッド１０が汗などによって汚れ、粘着性が悪くなったときには粘着パッド１０を水洗いすればよく、良好な粘着性を維持できる。
【００３０】
なお、上記の例では粘着パッド１０を使用して磁石片１１を患部に保持するようにしたが、粘着パッド１０に代えて貼着テープを用い、患部にあてた磁石片１１の上から貼着テープを貼って磁石片１１を患部に保持するようにしてもよく、又磁石片１１に振動モータ２０を磁着させ、これを患部にあてて上から貼着テープを貼って患部に保持するようにすることもできる。
【図面の簡単な説明】
【００３１】
【図１】本発明に係る磁気振動マッサージ具の好ましい実施形態を示す全体構成図てある。
【図２】上記実施形態における粘着パッド１０及び磁石片１１の構造を示す図である。
【図３】上記実施形態における振動モータ２０の構造を示す図である。
【図４】上記実施形態における振動モータ２０の構成例を示す図である。
【図５】上記実施形態における使用方法を説明するための図である。
【符号の説明】
【００３２】
１０      粘着パッド（保持手段）
１１      磁石片
２０      振動モータ
２１      キャップ
２２      通電線
３０      電源装置（通電回路）
【図１】
0004744229.tif 000002
【図２】
0004744229.tif 000003
【図３】
0004744229.tif 000004
【図４】
0004744229.tif 000005
【図５】
0004744229.tif 000006